(57)【要約】      （修正有）【課題】鼻呼吸を円滑に行えるようになる布製口カバーマスクを提供する。【解決手段】鼻下の口周りを覆う口カバー部１と略楕円状で顎下を覆う顎下カバー部２は、口カバー部下辺と顎下カバー部上辺との接合線５上で接合して、一体化した口カバーマスク本体を立体的に構成し、それを顔に装着させるために、装着部に２つ折れマイクロテープとエイト管と、を用いて、第１装着部である左の延長部７Ｌの左端部８Ｌを、第２の装着部の左の延長部１０Ｌの左端部に設けた左のエイト管４Ｌに、移動させて接合し、右側も同様にして、顔の大きさに合わせて長さ調節を可能にして形成し、伸縮性のあるポリエステル素材を使用することで、顔へのフィット性を良くし、洗濯による形状変化を防ぎ、耐久性を向上させる。【選択図】図１
0003212467.tif 000002
【実用新案登録請求の範囲】
【請求項１】
鼻下中心から左右頬骨の略下辺中央を結ぶ上辺の両端から、左右の顎のフェイスラインとマリオネットラインとの略両接点にそれぞれ向い、顎先までを覆う形状で鼻下の口周りを覆う口カバー部と、
喉仏の上部から左右斜め上にあるマリオネットラインと顎のフェイスラインとの略両接点を結び、外側に湾曲した略楕円状で顎下を覆う顎下カバー部と、
前記口カバー部の下辺と前記顎下カバー部の上辺とを接合して一体化した口カバーマスク本体を顔に装着するための装着部と、を有し、
立体的に構成することを特徴とする布製口カバーマスク。
【請求項２】
前記口カバーマスク本体の外周は、前記口カバー部の上辺と、前記上辺以外の外周である略Ｕ字形状をした下辺と、から構成され、
前記口カバーマスク本体を構成する前記口カバー部の上辺は、２つ折れマイクロテープで縁取られ、
前記口カバーマスク本体の下辺は、２つ折れマイクロテープで前記口カバー部の上辺の左右両端から、顎下カバー部の下辺までを略Ｕ字形状に挟み込んで縁取られ、
前記装着部は、
前記口カバー部の上辺の左右の端部近傍から２つに折って重ねて縫合した２つ折れマイクロテープを延長して構成される第１装着部と、
２つに折って重ねて縫合した２つ折れマイクロテープの左右の端部にエイト管を挟んで２重にして延長し、
前記口カバー部の下辺と前記顎下カバー部の上辺との接合線の左右の略端部に接合して、それぞれ設けられる前記エイト管を配した第２装着部と、から成り、
前記第１装着部の左の端部は前記第２装着部の左のエイト管まで移動させ、また、前記第１装着部の右の端部は前記第２装着部の右のエイト管まで移動させて、前記第１装着部の長さ調節を可能にすることを特徴とする請求項１に記載の布製口カバーマスク。
【請求項３】
前記口カバーマスク本体は、消臭、抗菌、防臭効果を有するポリエステルの伸縮性素材を使用することを特徴とする請求項１または請求項２に記載の布製口カバーマスク。
【請求項４】
前記口カバーマスク本体の裏面に、ポケット部が設けられていることを特徴とする請求項１〜３のいずれか一項に記載の布製口カバーマスク。
【請求項５】
前記ポケット部の上辺は、前記口カバー部の上辺近傍に平行して形成され、
前記ポケット部の下辺は、前記口カバー部の下辺と前記顎下カバー部の上辺との接合線上に形成され、
前記ポケット部の左右両辺は、前記口カバー部の略左右両辺上に形成されることを特徴とする請求項４に記載の布製口カバーマスク。
【考案の詳細な説明】
【技術分野】
【０００１】  本考案は、鼻を塞がず、鼻下から口周りおよび、顎下までを覆うように形成された布製口カバーマスクに関するものである。
【背景技術】
【０００２】  従来の鼻呼吸を円滑に行うために形成されたマスクは、伸縮性素材を使用し、後頭部で脱着可能にする面テープを使用した構成のものや（例えば、特許文献１参照）、通気性と伸縮性を有する不織布からなる立体マスクで、一つのマスクで鼻部と口部を別々に覆うように構成されたものがあった（例えば、特許文献２参照）。
【先行技術文献】
【特許文献】
【０００３】
【特許文献１】実用新案登録第３０９７３４８号公報
【特許文献２】実用新案登録第３１４７５８１号公報
【考案の概要】
【考案が解決しようとする課題】
【０００４】  上記の立体マスクは、装着部に面テープを使用するので、ハード過ぎて圧迫感を感じ、面テープに髪の毛が纏わりつき脱着しづらく、就寝中に面テープの厚みで後頭部に不快感が生じたり、マスク本体の素材に不織布を使用するので、何度も使用したり、洗濯可能であっても洗濯を繰り返すと毛羽立って肌への不快感が否めず、シワができたり、伸びてしまって型崩れするので、使用回数に限りが生じるため、耐久性に欠け不経済であるという問題があった。
本考案は上記の課題を解決することを目的とするものである。
【課題を解決するための手段】
【０００５】  そして、本考案は上記目的を達成するために、
第１の課題解決の手段は、鼻下中心から左右頬骨の略下辺中央を結ぶ上辺の両端から左右の顎のフェイスラインとマリオネットラインと、の略両接点にそれぞれ向い、顎先までを覆う形状で鼻下の口周りを覆う口カバー部と、
喉仏の上部から左右斜め上にあるマリオネットラインと、顎のフェイスラインとの略両接点を結び、外側に湾曲した略楕円状で顎下を覆う顎下カバー部と、
口カバー部の下辺と顎下カバー部の上辺と、を接合して一体化した口カバーマスク本体を顔に装着するための装着部と、を有し、
立体的に構成することである。【０００６】  第２の課題解決の手段は、口カバーマスク本体の外周は、口カバー部の上辺と、その上辺以外の外周である略Ｕ字形状をした下辺と、から構成され、
口カバーマスク本体を構成する口カバー部の上辺は、２つ折れマイクロテープで縁取られ、
口カバーマスク本体の下辺は、２つ折れマイクロテープで口カバー部の上辺の左右両端から、顎下カバー部の下辺までを略Ｕ字形状に挟み込んで縁取られ、装着部は
口カバー部の上辺の左右の端部近傍から、２つに折って重ねて縫合した２つ折れマイクロテープを延長して構成される第１装着部と、
２つに折って重ねて縫合した２つ折れマイクロテープの左右の端部にエイト管を挟んで２重にして延長し、
口カバー部下辺と顎下カバー部上辺との接合線の左右の略端部に接合してそれぞれ設けられる、エイト管を配した第２装着部と、から成り
第１装着部の左の端部は第２装着部の左のエイト管まで移動させ、また、第１装着部の右の端部は第２装着部の右のエイト管まで移動させて、第１装着部の長さ調節を可能にすることである。【０００７】  第３の解決手段は、口カバーマスク本体は、消臭、抗菌、防臭効果を有するポリエステルの伸縮性素材を使用することである。【０００８】  第４の課題解決の手段は、口カバーマスク本体の裏面に、ポケット部を設けることである。【０００９】  第５の課題解決の手段は、口カバーマスク本体の裏面で、
ポケット部の上辺は、口カバー部の上辺近傍に平行して形成され、
ポケット部の下辺は、口カバー部下辺と顎下カバー部上辺との接合線上に形成され、
ポケット部の左右両辺は、口カバー部の略左右両辺上に形成されることである。
【考案の効果】
【００１０】  本考案は上記に述べてあるように、口カバーマスク本体は鼻を塞ぐことなく、口元を抑え、口周りから顎下までを立体的に覆うことができる形状にすることで、鼻呼吸が円滑に行えるようになる。【００１１】  口カバーマスク本体は口カバー部と、顎下カバー部と、から構成され、口カバーマスク本体の外周は２つ折れマイクロテープで縁取られ、装着部は伸縮性のある２つ折れマイクロテープとエイト管で構成され、第２装着部に配したエイト管を移動させて、顔の大きさに合わせ第１装着部の長さ調節を可能にすることで、就寝中に本考案の布製口カバーマスクを長時間着用しても顔から外れ難く、肌に優しく適度なフィット感が得られる。【００１２】  口カバーマスク本体は、消臭、抗菌、防臭効果を有する素材を使用するため、口周りの衛生環境を良好に保つことができる。【００１３】  口カバーマスク本体は、裏面にポケット部を設けることで、洗濯不可の抗菌効果のある不織布や保湿効果のある布地を出し入れして、口カバーマスク本体だけを洗濯し、繰り返し使用することができる。【００１４】  ポケット部は、口カバーマスク本体の裏面に、上辺を口カバー部の上辺近傍に平行して設け、下辺を口カバー部下辺と顎下カバー部上辺との接合線上で接合し、ポケット部の左右両辺は口カバー部の略左右両辺上で接合し、口カバーマスク本体の縫製時の工程上で同時に一体化し接合されるため、縫製工程も余計に増やすことなく抑えられる。
【図面の簡単な説明】
【００１５】
【図１】  本考案の第１の実施形態における布製口カバーマスクの表面の構成図である。
【図２】  （ａ）同布製口カバーマスクのエイト管の形状図である。（ｂ）同布製口カバーマスクの左のエイト管の装着工程を説明する説明図である。（ｃ）同布製口カバーマスクの右のエイト管の装着図である。
【図３】  同布製口カバーマスクの口カバー部を示す概略図である。
【図４】  同布製口カバーマスクの顎下カバー部を示す概略図である。
【図５】  同布製口カバーマスクの口カバー部と顎下カバー部を接合した口カバーマスク本体を示す概略図である。
【図６】  同布製口カバーマスクの装着時の表面の形状図である。
【図７】  同布製口カバーマスクの着用時の左側面図である。
【図８】  同布製口カバーマスクの着用時の正面図である。
【図９】  同布製口カバーマスクの装着時の裏面の形状図である。
【図１０】  本考案の第２の実施形態における布製口カバーマスクの装着時の裏面にポケット部を設けた形状図である。
【考案を実施するための形態】
【００１６】  本考案を実施の形態の添付図面に従って説明する。図１は本考案の第１の実施形態における布製口カバーマスクの表面の構成図である。
本考案の布製口カバーマスクは、本考案の布製口カバーマスクを顔へ装着する時の設定位置に基図いて説明する。（図８参照）
図１に示すように、
鼻下の口周りを覆う口カバー部１と顎下を覆う顎下カバー部２と、は口カバー部下辺１ｃと顎下カバー部上辺２ｃとを接合して一体化し、立体的に構成した口カバーマスク本体３を、（図３，４，５参照）
顔に装着するための装着部は、
口カバー部上辺６Ｔ、口カバー部左辺６Ｌ、カバー部右辺６Ｒと顎下カバー部下辺６Ｕと、（図９参照）から成る口カバーマスク本体３の外周を、２つ折れマイクロテープで縁取り、口カバー部上辺６Ｔの左端部９Ｌと右端部９Ｒ近傍を挟んで延長した２つ折れマイクロテープは、左の延長部７Ｌと右の延長部７Ｒと、の左端部８Ｌと右端部８Ｒと、から成る第１装着部と、
２つに折って重ねて縫合した２つ折れマイクロテープに左のエイト管４Ｌと右のエイト管４Ｒとを挟んで２重にし、口カバー部下辺１ｃと顎下カバー部上辺２ｃとの接合線５の左右の略端部まで延長して、それぞれ接合して設けられる、左の延長部１０Ｌと右の延長部１０Ｒと、から成る第２装着部と、から構成される。
また、口カバーマスク本体３と装着部に、伸縮性のある素材を用いることで、着用人の顔へのジャストフィット感に応じた長さに調節でき、鼻を塞ぐことなく、口元を抑え、口周りから顎下までを立体的に覆うことができる形状にすることで、鼻呼吸が円滑に行えるようになる。
【００１７】  図２は本考案の第１の実施形態における布製口カバーマスクのエイト管の形状図と装着方法である。（ａ）はエイト管４の形状図である。（ｂ）は左のエイト管の装着工程を説明する説明図である。（ｃ）は右のエイト管の装着図である。
図２に示すように、
第２装着部の左の延長部１０Ｌと右の延長部１０Ｒに配した、左のエイト管４Ｌと右のエイト管４Ｒとを用いて、第１装着部の左の延長部７Ｌは左端部８Ｌを左のエイト管４Ｌに移動させ、右の延長部７Ｒは右端部８Ｒを右のエイト管４Ｒに移動させ、それぞれ接合させて第１装着部の長さ調節を可能にして、本考案の布製口カバーマスクを顔に装着させるように設定する。（図６参照）
【００１８】  図３は本考案の第１の実施形態における布製口カバーマスクの口カバー部１を示す概略図である。
口カバー部１は表布１ａと裏布１ｂとで構成される。（図７参照）
【００１９】  図４は本考案の第１の実施形態における布製口カバーマスクの顎下カバー部２を示す概略図である。
顎下カバー部２は表布２ａと裏布２ｂとで構成される。（図７参照）
【００２０】  図５は本考案の第１の実施形態における布製口カバーマスクの口カバー部と顎下カバー部２を接合した口カバーマスク本体３を示す概略図である。
図５に示すように、口カバーマスク本体３は表布１ａと裏布１ｂから成る口カバー部１と、表布２ａと裏布２ｂから成る顎下カバー部２と、を口カバー部下辺１ｃと顎下カバー部上辺２ｃとの接合線５で接合し一体化して形成される。（図７参照）  本考案の布製口カバーマスクを形成する素材に消臭、抗菌、防臭効果を有するポリエステルを用いることで、口周りの衛生環境を良好に保つことができ、洗濯を繰り返し行っても効果が期待できる。
【００２１】  図６は本考案の第１の実施形態における布製口カバーマスクの装着時の正面図である。図７、図８に示すように、
鼻下の口周りを覆う口カバー部１と、顎下カバー部２は喉仏の上部から左右斜め上にあり、マリオネットラインＭＬ、ＭＲと顎のフェイスラインの略両接点とを結んだ線上において、口カバー部下辺１ｃと顎下カバー部上辺２ｃとの接接合線５で接合して一体化し、顔に装着するための装着部である、第１装着部の口カバー部上辺６Ｔの左端部９Ｌと右端部９Ｒとを挟んで、口カバー部左辺６Ｌと口カバー部右辺６Ｒとを延長した、左の延長部７Ｌと右の延長部７Ｒと、をそれぞれ両耳に掛けるようして、その左端部８Ｌと右端部８Ｒとを、第２装着部の左の延長部１０Ｌと右の延長部１０Ｒとの、左右の端部に設けた左のエイト管４Ｌと右のエイト管４Ｒとまで、それぞれ移動させて接合し顔の大きさに合わせて左のエイト管４Ｌと右のエイト管４Ｒとを動かして、第１装着部の長さ調節を可能にする。顔の輪郭線をフェイスラインと称し、マリオネットラインは腹話術などに使われるマリオネット人形の口角から顎に向かってハの字に伸びる２本の切れ込み線からの由来である。
【００２２】  図７は本考案の第１の実施形態における布製口カバーマスクの着用時の左側面図である。図７に示すように、
口カバー部１は表布１ａと裏布１ｂと、から成り、顎下カバー部２は表布２ａと裏布２ｂと、から成り、喉仏の上部から左斜め上にある左のマリオネットラインＭＬと、顎のフェイスラインの左側の接点とを結んだ線上において、口カバー部下辺１ｃと顎下カバー部上辺２ｃとの接合線５で接合して一体化し、顔に装着するための装着部である、第１装着部の口カバー部上辺６Ｔの左端部９Ｌを挟んで口カバー部左辺６Ｌを延長した、左の延長部７Ｌに配した左端部８Ｌを、第２装着部の左の延長部１０Ｌの左端部に設けた左のエイト管４Ｌまで移動して接合させ、耳に掛けて顔に装着する。
【００２３】  図８は本考案の第１の実施形態における布製口カバーマスクの着用時の正面図である。図８に示すように、
鼻下の口周りを覆う口カバー部１と顎下カバー部２（図７参照）は、喉仏の上部から左右斜め上にある、左のマリオネットラインＭＬと右のマリオネットラインＭＲと顎のフェイスラインの略両接点とを結んだ線上で、口カバー部下辺１ｃと顎下カバー部上辺２ｃとの接合線５で接合して一体化し、顔に装着するための装着部である、第１装着部の口カバー部上辺６Ｔの左の端部９Ｌと右の端部９Ｒとを挟んで、口カバー部左辺６Ｌと口カバー部右辺６Ｒとを、それぞれ延長した左の延長部７Ｌと右の延長部７Ｒとに配した、左の延長部８Ｌと右の延長部８Ｒとを、第２装着部の左の延長部１０Ｌと右の延長部１０Ｒとに、それぞれ配した左のエイト管４Ｌと右のエイト管４Ｒとまで、それぞれ移動して接合し、左の延長部７Ｌと右の延長部７Ｒとを両耳に掛けて着用する。
【００２４】  図９は本考案の第１の実施形態における布製口カバーマスクの装着時の裏面の形状図である。図９に示すように、
口カバー部下辺１ｃと顎下カバー部上辺２ｃとの接合線５上で接合して一体化した、口カバーマスク本体３（図５参照）の外周は、口カバー部上辺６Ｔ、口カバー部左辺６Ｌ，口カバー部右辺６Ｒと顎下カバー部下辺６Ｕと、（図９参照）から成り、２つ折れマイクロテープで縁取られ、口カバー部上辺６Ｔの左端部９Ｌと右端部９Ｒとを、それぞれ挟んで延長した２つ折れマイクロテープは左の延長部７Ｌと右の延長部７Ｒとの、それぞれの左端部８Ｌと右端部８Ｒとで構成される第１装着部から成り、第２装着部は、２つに折って重ねて縫合した２つ折れマイクロテープを、左のエイト管４Ｌと右のエイト管４Ｒに挟んで２重にして延長した、左の延長部１０Ｌの右端部１１Ｌと右の延長部１０Ｒの左端部１１Ｒとを、口カバー部下辺１ｃと顎下カバー部上辺２ｃとの接合線５の左端部１２Ｌと右端部１２Ｒと、の近傍にそれぞれ接合して設けられる。
【００２５】  図１０は本考案における布製口カバーマスクの装着時の裏面にポケット部を設けた形状図である。
図９に示す第１の実施の形態の構成に加え
布製口カバーマスクの裏面にポケット部１３を設けている。ポケット部の上辺１４は、口カバー部上辺６Ｔ近傍に平行して設けられ、ポケット部の下辺は口カバー部下辺１ｃと顎下カバー部上辺２ｃとの接合線５上に、左右両辺は口カバー部左辺６Ｌ，口カバー部右辺６Ｒ上に形成されため、ポケット部１３が口カバーマスク本体３（図５参照）の縫製時の工程上で同時に一体化し接合されるため、縫製工程も増やすことなく抑えられる。
上記のように、本考案の布製口カバーマスクは単体で使用するほか、裏側にポケット部を設けて、洗濯不可の不織布や布地に水分を含ませたり、メントールなどの成分が含まれる液体などを添加して、ポケットに入れることで、口周りの乾燥を防ぎ保湿効果を向上させたり、鼻通りを良くして鼻呼吸が円滑に行えるような効果も期待できるほか、洗濯不可の不織布や布地を出し入れして、本考案の布製口カバーマスクだけを洗濯し、繰り返し使用することができるので、経済的な効果も得られる。
【符号の説明】
【００２６】１      口カバー部
１ａ    表布（口カバー部）
１ｂ    裏布（口カバー部）
１ｃ    口カバー部下辺
２      顎下カバー部
２ａ    表布（顎下カバー部）
２ｂ    裏布（顎下カバー部）
２ｃ    顎下カバー部上辺
３      口カバーマスク本体
４      エイト管
４Ｒ    右のエイト管
４Ｌ    左のエイト管
５      接合線
６Ｔ    口カバー部上辺
６Ｒ    口カバー部右辺
６Ｌ    口カバー部左辺
６Ｕ    顎下カバー部下辺
７Ｒ    右の延長部（第１装着部）
７Ｌ    左の延長部（第１装着部）
８Ｒ    右の延長部の右端部（第１装着部）
８Ｌ    左の延長部の左端部（第１装着部）
９Ｒ    口カバー部上辺の右端部
９Ｌ    口カバー部上辺の左端部
１０Ｒ  右の延長部（第２装着部）
１０Ｌ  左の延長部（第２装着部）
１１Ｒ  右の延長部の左端部（第２装着部）
１１Ｌ  左の延長部の右端部（第２装着部）
１２Ｒ  接合線の右端部
１２Ｌ  接合線の左端部
１３    ポケット部
１４    ポケット部の上辺
ＭＲ    右のマリオネットライン
ＭＬ    左のマリオネットライン
【図１】
0003212467.tif 000003
【図２】
0003212467.tif 000004
【図３】
0003212467.tif 000005
【図４】
0003212467.tif 000006
【図５】
0003212467.tif 000007
【図６】
0003212467.tif 000008
【図７】
0003212467.tif 000009
【図８】
0003212467.tif 000010
【図９】
0003212467.tif 000011
【図１０】
0003212467.tif 000012